(57)【特許請求の範囲】
【請求項１】
走行機体に装着したロータリにより耕耘した土を、該ロータリ後部に装着した多連の畦立機によって畦と溝を成形する畦立装置において、
前記畦立機の上面を後方に向け傾斜させると共に、該畦立機の上面を貫通して畦に対応する施肥管を設け、該施肥管の先端から、成形された畦中に施肥することを可能とし、
前記畦立機の後方に、前記畦を被覆する畦フィルムを供給する畦フィルム供給装置と、
前記溝を被覆する溝フィルムを供給する溝フィルム供給装置と、
前記畦を畦フィルムで被覆すると共に、その両端を押込む押込装置と、
前記溝を溝フィルムで被覆すると共に、前記溝を鎮圧する鎮圧装置と、
前記畦フィルムと前記溝フィルムの両端を溶着する溶着装置と、
鎮圧後の前記溝フィルムに水抜き孔を開ける穿孔装置とを、備え
成形された畦中に施肥すると同時にフィルムによる被覆作業を可能とした、
ことを特徴とする畦立作業機。
【発明の詳細な説明】
【０００１】
【発明の属する技術分野】
ロータリの後部に装着した畦立装置に係り、詳しくは、畦立作業と同時に成形された畦中に施肥作業及びマルチ作業をする畦立作業機に関する。
【０００２】
【従来の技術】
従来、施肥と畦立を併せて行なう場合、畦立作業をした後に点注や、条施肥などにより局所施肥を行なうと、既に成形した畦を崩すことが多いので、耕耘作業の前に、粒状肥料を圃場に散布し、ロータリで耕耘し、土と粒状肥料を混和した状態で、ロータリの後部に装着した畦立装置で畦立作業をするか、既に成畦後、被覆されたフィルムを一部を破ってその孔から施肥するか、又は、苗植付孔を狙って施肥することは既に知られている。
【０００３】
【発明が解決しようとする課題】
従来知られているような、耕耘作業の前に、粒状肥料を圃場に散布し、ロータリで耕耘し、土と粒状肥料を混和した状態で、ロータリの後部に装着した畦立装置で畦立作業をするものは、粒状肥料が畦中に全面に散在し、肥料効率が悪くなり、一方、成畦・被覆後の施肥孔又は、苗植付孔を狙って、局所施肥を行なうものは、作業が極めて困難であった。
【０００４】
そこで、本発明は、ロータリで耕耘・畦立作業をしながら、同時に液状肥料を畦中に施肥し、マルチ作業も完了して成畦作業を完成することを目的とする。
【０００５】
【課題を解決するための手段】
本発明は、上述事情に鑑みなされたものであって、走行機体（１）に装着したロータリ（３）により耕耘した土を、該ロータリ（３）後部に装着した多連の畦立機（４）によって畦と溝を成形する畦立装置において、前記畦立機（４）の上面（４ａ）を後方に向け傾斜させると共に、該畦立機（４）の上面（４ａ）を貫通して、畦に対応する施肥管（５）を設け、該施肥管（５）の先端（５ａ）から、成形された畦中に施肥することを可能とした。
【０００６】
また、前記畦立機（４）の後方に、前記畦を被覆する畦フィルム（１１）を供給する畦フィルム供給装置（１２）と、前記溝を被覆する溝フィルム（１３）を供給する溝フィルム供給装置（１４）と、  前記畦を畦フィルム（１１）で被覆すると共に、その両端を押込む押込装置（１５）と、前記溝を鎮圧すると共に、溝フィルム（１３）で被覆する鎮圧装置（１６）と、被覆後の前記畦フィルム（１１）と前記溝フィルム（１３）の両端を溶着する溶着装置（１８）と、鎮圧後の前記溝フィルム（１３）に水抜き孔を開ける穿孔装置（１９）とを、備え、前記畦及び溝を成形し、連続して畦中に肥料を施肥すると同時に、フィルム（１１），（１３）による被覆（マルチ）作業を可能として上述の課題を解決した。
【０００７】
（作用）
走行機体（１）に装着したロータリ（３）により耕耘した土を、該ロータリ（３）後部に装着した多連の畦立機（４）によって畦と溝を同時に成形するが、上記構造により、畦を成形する過程で、畦に対応する施肥管（５）の先端（５ａ）から後方に向けて、畦中に施肥を行なう。施肥後、畦立機（４）の上面（４ａ）は後方に向け傾斜しているので、畦立機（４）の上面（４ａ）が、耕耘されて膨軟な土を上方から押し固める作用を行ない、前記施肥管（５）の垂直部が残した畦中の軌跡の空間を押潰して畦中の肥料（６）だけを残し表面の平滑な畦を成形する。
【０００８】
また、成畦後、畦立機（４）の後方に設けられた畦フィルム供給装置（１２）から繰り出す平らな畦フィルム（１１）を、畦の両端を押込む押込装置１５によって、畦の形状に沿って畦を被覆し、一方、畦フィルム供給装置（１２）の後方に設けられた溝フィルム供給装置（１４）から繰り出す平らな溝フィルム（１３）を、溝を鎮圧する鎮圧装置（１６）によって溝の形状に沿って溝を鎮圧すると共に被覆し、前記畦フィルム（１１）と前記溝フィルム（１３）の両端を前記鎮圧装置（１６）の後方に設けられた溶着装置（１８）によって溶着することによって、畦及び溝の形状に沿った全面の被覆（マルチ）作業を完成する。
【０００９】
好ましくは、全面の被覆作業完成後、前記溶着装置（１８）の後方に設けられた穿孔装置（１９）によって、降雨等によって溝フィルム（１３）上に溜った水を、地中に水抜きする水抜き孔を溝フィルム（１３）に開ける。
【００１０】
なお、上述カッコ内の符号は、図面と対照するものであるが、何ら本発明の構成を限定するものではない。
【００１１】
【発明の実施の形態】
以下、図面に沿って、本発明の実施の形態について説明する。
【００１２】
走行機体１の後部に、図１に示すように、リンク装置２を介してロータリ３が装着され、該ロータリ３の耕耘爪３ａにより耕耘した土を、ロータリ３の後部に装着した多連の畦立機４によって畦と溝を成形する。
【００１３】
前記畦立機４は、図２に示すように、下方に開口したコ字形の板状に形成され、側面板は、畦の勾配面を形成するように左右対称に傾斜し、上面板４ａは、前方から後方に向け傾斜させ、前記耕耘した土を３方向から畦形状に成形するように構成されている。
【００１４】
前記畦立機４の上面板４ａの前部に、図２に示すように、上面板４ａを貫通して、１畦につき２本の施肥管５を設け、前記施肥管５の先端５ａを後方に屈曲させ、前記畦及び溝を成形すると同時に、前記施肥管５の先端５ａを通じて、前記畦中に肥料６を連続して施肥することが可能となっている。
【００１５】
また、前記畦立機４の後方に、図３に示すように前記畦を被覆する畦フィルム１１を供給する畦フィルムロール１２と、前記溝を被覆する溝フィルム１３を供給する溝フィルムロール１４がロータリ３の本体に装着され、前記走行機体１の前進に伴い、畦フィルム１１がフィルム両端押込輪１５の回転に引張られて畦を被覆すると共に、溝フィルム１３が鎮圧輪１６によって溝を鎮圧し、その回転に引張られて溝を被覆する。
【００１６】
前記畦フィルムロール１２と溝フィルムロール１４の後方のロータリ３の本体フレーム１７に、先に敷設された畦フィルム１１の両端と溝フィルム１３の両端を溶着する溶着輪１８が装着されている。
【００１７】
更に、本体フレーム１７の溶着輪１８の後方に、前記溝を被覆した後の溝フィルム１３に、降雨等によって溝フィルム１３上に溜った水の水抜き用の孔開けをする穿孔輪１９が装着されている。
【００１８】
次に本発明の実施の形態の作用について説明する。
【００１９】
上記構造に基づき、走行機体１で前進しながらロータリ３の耕耘爪３ａにより耕耘した土を、下方に向け開口し、両側面板及び上面板４ａで囲まれた、多連の畦立機４によって畦と溝を同時に成形するが、図４（ａ）に示すように、畦を成形する過程で、１畦につき２本設けられた施肥管５の先端５ａから後方に向けて、連続して畦中に施肥を行なう。
【００２０】
施肥後、畦立機４の上面板４ａは後方に向け傾斜しているので、図４（ｂ）に示すように、畦立機４の上面板４ａが、耕耘されて膨軟になった土を上方から押し固める作用を行ない、前記施肥管５の垂直部が土中を通過する際、残した畦中の軌跡の空間を押潰して畦中に肥料だけを残し、表面の平滑な畦を成形することができる。
【００２１】
また、成畦後、図４（ｂ）に示すように、畦立機４の後方に設けられたフィルム両端押込輪１５の回転によって、畦フィルムロール１２から繰り出す平らな畦フィルム１１の両裾を土中に押込むと共に、畦の形状に沿って畦を被覆する。
【００２２】
一方、図４（ｃ）に示すように、フィルム両端押込輪１５の後方に設けられた鎮圧輪１６の回転によって、溝の形状を１０から２０に鎮圧すると共に、溝フィルムロール１４から繰り出す平らな溝フィルム１３で溝を覆する。
【００２３】
このようにして畦を被覆した畦フィルム１１と溝を被覆した溝フィルム１３の両端を、図４（ｄ）に示すように、前記鎮圧輪１６の後方に設けられた溶着輪１８によって断続または連続に溶着することによって、畦及び溝の形状に沿った圃場全面の被覆（マルチ）作業を完成する。
【００２４】
全面の被覆作業完成後、図３に示すように、前記溶着輪１８の更に後方に設けられた穿孔輪１９の円周に設けられた突起１９ａの回転によって、溝フィルム１３に水抜き孔を開け、降雨等によって溝フィルム１３上に溜った水を、地中に水抜きする。
【００２５】
【発明の効果】
本発明は、走行機体に装着したロータリにより耕耘した土を、該ロータリ後部に装着した多連の畦立機によって畦と溝を成形する畦立装置において、前記畦立機の上面を後方に向け傾斜させると共に、前記畦立機の上面を貫通して、畦に対応する施肥管を設け、前記施肥管の先端を通じて、成形された畦中に施肥することを可能にしたので、作物の根が最も必要とする部位に液状肥料を、多量に局所施肥でき、追肥の必要もなくなった。
【００２６】
また、前記畦立機の後方に、前記畦を被覆する畦フィルムを供給する畦フィルム供給装置と、前記溝を被覆する溝フィルムを供給する溝フィルム供給装置と、前記畦を畦フィルムで被覆すると共に、その両端を押込む押込装置と、前記溝を溝フィルムで被覆すると共に、前記溝を鎮圧する鎮圧装置と、前記畦フィルムと前記溝フィルムの両端を溶着する溶着装置と、鎮圧後の前記溝フィルムに水抜き孔を開ける穿孔装置とを、備え、前記畦及び溝を成形し、連続して畦中に肥料を施肥すると同時に、フィルムによる被覆（マルチ）作業を可能にした。
【図面の簡単な説明】
【図１】走行機体と畦立装置の装着状態の側面図である。
【図２】畦立機の斜視図である。
【図３】畦立装置とマルチ装置の装着状態の側面図である。
【図４】（ａ）は図３のＡ−Ａ断面図である。
（ｂ）は図３のＢ−Ｂ断面図である。
（ｃ）は図３のＣ−Ｃ断面図である。
（ｄ）は図３のＤ−Ｄ断面図である。
【符号の説明】
１        走行機体
３        ロータリ
４        畦立機
５        施肥管
１１        畦フィルム
１３        溝フィルム
１５        フィルム両端押込輪
１６        鎮圧輪
１８        溶着輪
１９        穿孔輪
【図１】
0003605462.tif 000002
【図２】
0003605462.tif 000003
【図３】
0003605462.tif 000004
【図４】
0003605462.tif 000005